(57)【要約】【課題】排出ローラの搬送力を調整することなく記録媒体支持部材の搬送性を確保すると共に、搬送方向と逆方向に搬送された記録媒体支持部材が再度記録装置内に搬送されることを防ぐ。【解決手段】排出ローラ９と共にディスクトレイ４を支持するディスクトレイベースローラ２７と、排出ローラ９と共にディスクトレイ４を挟持して搬送するディスクローラ１１と、ディスクトレイ４を搬送するときに弾性変位して、ディスクローラ１１をディスクトレイ４に圧接させるディスクローラバネ３０と、を備える記録装置に用いられる。ディスクトレイ４には、搬送方向の下流側の端部の、ディスクトレイ４の搬送時にディスクローラ１１が接する領域に、ディスクローラ１１を押圧するディスクローラバネ３０の変位量を小さくさせるための段差形状部２９が、搬送方向に沿って設けられている。【選択図】図６
2014065216.tif 000002
【特許請求の範囲】
【請求項１】
情報信号を記録するための情報記録媒体に液体を吐出する記録ヘッドと、
前記情報記録媒体を支持する記録媒体支持部材を支持して搬送する駆動ローラと、
前記駆動ローラに対して前記情報記録媒体の搬送方向の上流側に配置され、前記駆動ローラと共に前記記録媒体支持部材を支持する従動ローラと、
前記駆動ローラに対して前記搬送方向の上流側に前記記録媒体支持部材を挟んで対向する位置に配置され、前記駆動ローラと共に前記記録媒体支持部材を挟持して搬送する加圧従動ローラと、
前記記録媒体支持部材を搬送するときに弾性変位して、前記加圧従動ローラを前記記録媒体支持部材に圧接させる加圧バネと、を備える記録装置に用いられる前記記録媒体支持部材であって、
前記搬送方向の下流側の端部の、前記記録媒体支持部材の搬送時に前記加圧従動ローラが接する領域に、前記加圧従動ローラを押圧する前記加圧バネの変位量を小さくさせるための凹部が、前記搬送方向に沿って設けられていることを特徴とする記録媒体支持部材。
【請求項２】
前記搬送方向に直交する方向に対する前記凹部の深さは、前記記録媒体支持部材を搬送するときの前記加圧バネの変位量よりも大きい、請求項１に記載の記録媒体支持部材。
【請求項３】
請求項１または２に記載の記録媒体支持部材を備える記録装置。
【請求項４】
前記加圧従動ローラは、前記記録媒体支持部材の搬送中に前記情報記録媒体と接触しない位置に配置されている、請求項３に記載の記録装置。
【請求項５】
前記記録ヘッドを支持して前記情報記録媒体の搬送方向に交差する方向に移動するキャリッジを備え、
前記駆動ローラによって前記記録媒体支持部材が前記搬送方向と逆方向に搬送されて前記加圧従動ローラを押圧する前記加圧バネの変位量が小さくされる位置まで搬送されたとき、前記凹部の前記搬送方向における長さが、前記凹部の前記搬送方向の下流側の端部と、前記キャリッジの、前記搬送方向の上流側の端部との間の距離よりも短い、請求項３または４に記載の記録装置。
【発明の詳細な説明】
【技術分野】
【０００１】
本発明は、情報記録媒体に液体を吐出して文字等の記録を行う記録装置に用いられ、情報記録媒体を支持して搬送される記録媒体支持部材、及び記録装置に関する。
【背景技術】
【０００２】
近年では、プリンタ等の記録装置の用途として、普通紙への文字の記録や写真専用紙への写真画像の記録のみならず、さまざまな被記録材に対応して記録することの要求が高まっている。被記録材の一例として、表面へのインクジェット記録が可能なＣＤ（コンパクトディスク）やＤＶＤ（ディジタル・バーサタイル・ディスク）等のディスク状の情報記録媒体（以下、「ディスクメディアと称する。」）のインクジェット記録面に、文字や画像等を記録することが求められている。
【０００３】
これらのディスクメディアは、インクジェット記録面とは反対側に、情報信号が記録されるデータ記録面が位置している。このデータ記録面は、外的な傷に弱く、ディスクメディア単独で記録装置にセットすることは傷の発生のおそれがあるので、不可能である。そのため、ディスクメディアを支持するための専用トレイを用いて搬送することが不可欠である。
【０００４】
このようなディスクメディアや、ディスクメディアに対応する専用トレイ（以下、「ディスクトレイ」という。）は、紙等のシート材よりも板厚が大きいので、主搬送ローラに噛み込ませるためにはディスクトレイの先端形状を工夫する必要があった。
【０００５】
特許文献１には、ディスクトレイの先端の一部を搬送方向に対して突出させることによって、主搬送ローラと、主搬送ローラに押圧している従動ローラとの間に滑り込ませて容易に噛みこませることを可能にする構成が開示されている。
【先行技術文献】
【特許文献】
【０００６】
【特許文献１】特開２００６−１３１３６４号公報
【発明の概要】
【発明が解決しようとする課題】
【０００７】
しかしながら、特許文献１に記載の構成では、ディスクトレイの反りやディスクトレイの搬送を案内するガイド部材の寸法のばらつきや、バネ圧のばらつきなどを考慮した上で、排出ローラによるディスクトレイの搬送力を強く設定する必要がある。
【０００８】
一方で、ディスクメディアへの記録動作終了後、ユーザーによってディスクトレイが取り出されるまで、ディスクトレイが排出ローラにニップされた状態で保持される。このため、排出ローラは、ディスクトレイに搬送力を作用させることが可能な状態にあり、排出ローラがディスクトレイの搬送方向に回転した場合、排出ローラの回転によってディスクトレイが再度記録装置内部に引き込まれてしまう。このように、排出ローラによって排出されたディスクトレイが再度記録装置内部に引き込まれることを防ぐために、排出ローラによるディスクトレイの搬送力を弱く設定する必要がある。
【０００９】
このようにディスクトレイの搬送性と排出性を得るための搬送力と、搬送方向と逆方向に搬送されたディスクトレイが再度記録装置内部に搬送されることを防ぐための搬送力とを両立させることが困難であった。
【００１０】
そこで、本発明は、駆動ローラによる搬送力を調整することなく、記録媒体支持部材の搬送性を確保すると共に、再度記録装置内に記録媒体支持部材が搬送されることを防ぐことができる記録媒体支持部材及び記録装置を提供することが目的である。
【課題を解決するための手段】
【００１１】
上述した目的を達成するため、本発明に係る記録媒体支持部材は、情報信号を記録するための情報記録媒体に液体を吐出する記録ヘッドと、情報記録媒体を支持する記録媒体支持部材を支持して搬送する駆動ローラと、駆動ローラに対して情報記録媒体の搬送方向の上流側に配置され、駆動ローラと共に記録媒体支持部材を支持する従動ローラと、駆動ローラに対して搬送方向の上流側に記録媒体支持部材を挟んで対向する位置に配置され、駆動ローラと共に記録媒体支持部材を挟持して搬送する加圧従動ローラと、記録媒体支持部材を搬送するときに弾性変位して、加圧従動ローラを記録媒体支持部材に圧接させる加圧バネと、を備える記録装置に用いられる記録媒体支持部材であって、
搬送方向の下流側の端部の、記録媒体支持部材の搬送時に加圧従動ローラが接する領域に、加圧従動ローラを押圧する加圧バネの変位量を小さくさせるための凹部が、搬送方向に沿って設けられている。
【００１２】
また、本発明に係る記録装置は、本発明の記録媒体支持部材を備える。
【発明の効果】
【００１３】
本発明によれば、加圧バネの変位量を小さくさせるための凹部を有することで、加圧従動ローラを記録媒体支持部材に押圧させて搬送可能な状態と、加圧従動ローラによる押圧力を発生させずに搬送不可能な状態とを、簡素な構成で実現可能になる。したがって、駆動ローラによる記録媒体支持部材の搬送精度を損なうことなく、搬送方向と逆方向に搬送された記録媒体支持部材が再度記録装置内に引き込まれることを防止できる。
【図面の簡単な説明】
【００１４】
【図１】第１の実施形態の記録装置におけるディスクトレイベースの収納ポジション及び供給ポジションを説明するための斜視図である。
【図２】第１の実施形態の記録装置における搬送機構の駆動列を示す斜視図である。
【図３】第１の実施形態の記録装置におけるトレイ供給部を、収納ポジションから供給ポジションに切り替える機構を示す図である。
【図４】第１の実施形態の記録装置におけるディスクトレイの供給動作を説明するための断面図である。
【図５】第１の実施形態の記録装置におけるディスクトレイの搬送時の、ディスクローラとディスクトレイとの位置関係を説明するための平面図である。
【図６】第１の実施形態の記録装置におけるディスクトレイの搬送時の、ディスクローラとディスクトレイとの位置関係を示す断面図である。
【発明を実施するための形態】
【００１５】
以下、本発明を実施するための形態について、図面を参照して説明する。
【００１６】
（第１の実施形態）
まず、実施形態の記録装置の主要機構について説明する。図１（ａ）は、実施形態の記録装置の機構部を示す斜視図である。記録装置は、主に被記録材に液体としてのインクを吐出して記録を行う記録部と、シート状の被記録材として記録紙を給紙する給紙部と、を備えている。また、記録装置は、記録紙、及び情報信号を記録するための情報記録媒体としてのディスクメディアを支持する記録媒体支持部材としてのディスクトレイ４を搬送する搬送部と、ディスクトレイ４を供給するためのトレイ供給部と、を備えている。以下、記録装置の各部について説明する。
【００１７】
（Ａ）記録部
記録部は、キャリッジ１に搭載された記録ヘッド（不図示）によって、記録紙及びディスクメディアのインクジェット記録面に画像を記録するように構成されている。トレイ供給部によって搬送された、ディスクメディアを支持するディスクトレイ４は、プラテン２と、トレイ供給部を構成するディスクトレイベース３に取り付けられた従動ローラとしてのディスクトレイベースローラ２７とで下方側から支持される。
【００１８】
また、ディスクトレイベースローラ２７は、駆動ローラとしての排出ローラ９に対して、ディスクメディア（ディスクトレイ４）の搬送方向の上流側に配置されており、排出ローラ９と共にディスクトレイ４を支持する（図６参照）。ディスクトレイ４に支持されたディスクメディアは、搬送されるディスクトレイ４の上部に位置する記録ヘッドからインクを吐出することによって、記録画像情報に基づいた画像がインクジェット記録面に記録される。
【００１９】
キャリッジ１は、記録ヘッドを支持してディスクトレイ４の搬送方向に交差する方向である図１（ａ）にＸ方向で示す走査方向に移動可能に設けられており、走査方向に移動しながら被記録材の幅方向に対して画像の記録を行う。給紙部によって搬送されたシート状の被記録材は、プラテン２によって下方から支持されており、キャリッジ１が上述と同様の動作を行って被記録材の幅方向に対する画像の記録を行う。
【００２０】
（Ｂ）給紙部
給紙部（不図示）は、記録部に対して記録紙の搬送方向の上流に配置されており、シート状の記録紙の束から１枚ずつ記録紙を分離して搬送部に供給する。
【００２１】
（Ｃ）搬送部
図２は、搬送機構の駆動列を説明する斜視図である。搬送部は、給紙部に対して記録紙の搬送方向の下流側に配置されており、給紙部から給紙された記録紙を高精度に搬送するように構成されている。図２に示すように、搬送部の主な機構は、主側板１５、右側板１６及び左側板１７にそれぞれ取り付けられている。
【００２２】
搬送部は、主搬送ローラ７と排出ローラ９によって記録紙の搬送を行う。主搬送ローラ７は、金属軸の表面にセラミックの微小粒がコーティングされて構成されており、その両端の金属軸部が、右側板１６と左側板１７に回転可能に支持されている。ピンチローラホルダ１４には、複数のピンチローラ８が支持されている。ピンチローラホルダ１４は、ピンチローラばね（不図示）によって付勢されており、主搬送ローラ７に対してピンチローラ８を従動可能に圧接させている。
【００２３】
主搬送ローラ７の回転力は、ＤＣモータからなる搬送モータ１８の駆動力が、搬送モータプーリ１９とタイミングベルト２０を介して、主搬送ローラ７の軸上に設けられたプーリギア２１に伝達されることによって得られている。主搬送ローラ７の同軸上には、１５０〜３６０ｌｐｉのピッチでスリットが形成されたコードホイール２２が直結されている。そして、コードホイール２２上のスリットが通過する回数やタイミングを読み取るための搬送ローラエンコーダセンサ２３が、左側板１７に固定されている。
【００２４】
プーリギア２１は、プーリ部とギア部を有し、このギア部から駆動力がアイドラギア２４を介して排紙ローラギア２５に伝達されることによって、排出ローラ９が駆動される。排出ローラ９は、金属軸に設けられたゴムローラによって構成されている。排出ローラ９と対向する位置に設けられた拍車ベース６には、複数の拍車１０が取り付けられている。これら拍車１０は、棒状のコイルバネによって構成された拍車バネ２６の付勢力で、排出ローラ９に押圧されている。
【００２５】
（Ｄ）トレイ供給部
トレイ供給部は、記録部に対して記録紙の搬送方向の下流側に位置する、記録装置の前面部に、ディスクメディアを支持するディスクトレイ４を搬送部に供給するように構成されており、ユーザーの操作性の向上が図られている。
【００２６】
トレイ供給部は、常時、供給ポジションに位置するのではなく、図１（ａ）に示す収納ポジションと、図１（ｂ）に示す供給ポジションとに移動可能に設けられている。トレイ供給部が収納ポジションに位置するときには、排出ローラ９と拍車１０とニップされて搬送された記録紙が、ディスクトレイベース３の下方を通過するように構成されている。
【００２７】
トレイ供給部が供給ポジションに位置するときには、排出ローラ９と拍車１０とが離間されており、ディスクトレイ４に支持されたディスクメディアに拍車１０が接触してディスクメディアが損傷することが防止されている。
【００２８】
図３（ａ）及び図３（ｂ）に、トレイ供給部が収納ポジションと供給ポジションに切り替える機構の断面図を示す。
【００２９】
トレイ供給部を構成するディスクトレイベース３は、右側板１６と左側板１７に回転可能に取り付けられており、ディスクトレイベース３を回動させることで収納ポジションから供給ポジションに切り替えられる。アーム５は、ディスクトレイベース３に取り付けられており、アーム５の下方がプラテン２によって支持されている。
【００３０】
図３（ａ）に示すように、ディスクトレイベース３を回動させることで、アーム５は、プラテン２に沿って、ディスクトレイ４の搬送方向に移動し、途中で拍車ベース６に形成されている突起部６ａに当接する。続いて、図３（ｂ）に示すように、アーム５は、プラテン２に形成された斜面に沿って摺動することで上方に移動し、アーム５が拍車ベース６を持ち上げることによって、拍車１０を排出ローラ９から離間させる。
【００３１】
図４は、ディスクトレイ４の供給動作を説明するための断面図である。図４（ａ）は、トレイ供給部の収納ポジションを示し、図４（ｂ）は、トレイ供給部の供給ポジションを示している。また、図４（ｃ）は、トレイ供給部の供給ポジションにおいて、トレイ供給部にディスクトレイ４が挿入された状態を示している。
【００３２】
図４（ａ）及び図４（ｂ）に示すように、ディスクトレイベース３を回動させて、供給ポジションに切り替えることで、拍車１０が搬送経路から上方に退避される。このため、ディスクトレイベース３のトレイ供給口に対して、図４（ｃ）中に示す矢印方向からディスクトレイ４を挿入することが可能になる。
【００３３】
右側板１６と左側板１７に締結されたシャーシ部材１２には、ディスクローラホルダー１３が取り付けられている。ディスクローラホルダー１３には、駆動ローラとしての排出ローラ９と共にディスクトレイ４を挟持して搬送する加圧従動ローラとしてのディスクローラ１１が取り付けられている。ディスクローラ１１は、排出ローラ９に対してディスクトレイ４の搬送方向の上流側に、ディスクトレイ４を挟んで対向する位置に配置されている。
【００３４】
ディスクローラ１１は、棒状のコイルバネによって構成された加圧バネとしてのディスクローラバネ３０によって付勢されている。ディスクトレイ４を搬送するときにディスクローラバネ３０が弾性変位することで、ディスクローラバネ３０の付勢力によって、ディスクローラ１１は、トレイ供給口から挿入されたディスクトレイ４に押圧されている。ディスクローラ１１は、排出ローラ９に対してディスクトレイ４の搬送方向の上流側に位置をずらして配置されているので、記録紙の搬送状態と、ディスクトレイ４の搬送状態を、ディスクトレイベース３を回動させる動作だけで切り替えることが可能となる。
【００３５】
（ディスクトレイ４の搬送）
ディスクトレイベース３のトレイ供給口に挿入されたディスクトレイ４は、排出ローラ９とディスクローラ１１とでニップされ、排出ローラ９が駆動されることによって記録装置の内部に向かって搬送される。続いて、ディスクトレイ４は、主搬送ローラ７とピンチローラ８とでニップされる。このとき、ディスクトレイ４の先端２８は、主搬送ローラ７とピンチローラ８との間に入り込み、ピンチローラ８を持ち上げながらニップするので、このときに発生する抵抗に打ち勝つようにディスクローラバネ３０の押圧力を設定する必要がある。記録部によってインクジェット面に記録可能な位置まで搬送されたディスクトレイ４は、記録動作完了まで、主搬送ローラ７と排出ローラ９で協働して高精度に搬送される。そして、記録動作完了後、ディスクトレイ４は、排出ローラ９のみを用いて、記録部に対するディスクトレイ４の搬送方向と逆方向に搬送され、記録装置内部から排出される。
【００３６】
図５に、ディスクトレイ４とディスクローラ１１との位置関係を説明するための平面図を示す。図５に示すように、ディスクトレイ４には、搬送方向に直交する幅方向の両端部に、ディスクトレイ４の厚み方向に深さ（段差量）ｔを有する凹部としての段差形状部２９がそれぞれ形成されている。段差形状部２９は、ディスクトレイ４の搬送方向の下流側の端部の、ディスクトレイ４の搬送時にディスクローラ１１が接する領域に、ディスクローラ１１を押圧するディスクローラバネ３０の変位量を小さくさせるために形成されている。
【００３７】
段差形状部２９は、ディスクトレイ４の搬送方向に沿って延ばされており、ディスクトレイ４の搬送時におけるディスクローラ１１の移動経路と同一直線上に位置するように形成されている。また、段差形状部２９の、ディスクトレイ４の搬送方向に直交する方向に対する深さｔは、ディスクトレイ４を搬送するときのディスクローラバネ３０の変位量よりも大きくされている。
【００３８】
また、記録動作完了直後のディスクメディアにディスクローラ１１が当接した場合に、ディスクメディアのインクがディスクローラ１１に転写されてしまう。これを防ぐために、ディスクローラ１１は、ディスクトレイ４の搬送中にディスクメディアに当接しないようにディスクトレイ４の幅方向の両端部に配置されている。
【００３９】
以下、図６を参照して、ディスクトレイ４の段差形状部２９の詳細について述べる。図６（ａ）には、ディスクトレイ４の未挿入状態を示し、図６（ｂ）には、排出ローラ９による供給および排出動作中の状態を示している。また、図６（ｃ）には、ディスクトレイ４の排出動作完了状態を示している。
【００４０】
ディスクローラ１１に対してディスクトレイ４が進入したとき、ディスクローラ１１を付勢するディスクローラバネ３０が、図６（ｂ）に示す矢印Ｚ方向に変位量ｔ’だけ弾性変位される。ディスクトレイ４の厚み方向に対する、段差形状部２９の段差量ｔは、ディスクローラバネ３０の変位量ｔ’以上に形成されている。上述の構成によって、ディスクトレイ４が排出ローラ９によって搬送され、段差形状部２９の位置がディスクローラ１１に到達したときに、ディスクローラバネ３０の変位量ｔ’が「０」になる。これによって、ディスクローラ１１の搬送力が消失し、それ以降、図６（ｃ）に示す矢印Ｙ１方向に搬送することができなくなる。
【００４１】
また、構成部品に製造上の寸法ばらつきが発生し、図６（ｃ）に示す矢印Ｙ２方向に向かう搬送力が生じた状態であっても、ディスクトレイ４がＹ２方向に移動するときにディスクローラ１１が段差形状部２９の端部を乗り越えることができない。これによって、ディスクトレイ４がＹ２方向に搬送されることを防ぐことができる。
【００４２】
また、図６（ｃ）に示すように、排出ローラ９によってディスクトレイ４は、ディスクトレイ４の搬送方向と逆方向に搬送されてディスクローラ１１を押圧するディスクローラバネ３０の変位量が小さくされる位置まで搬送される。このとき、段差形状部２９の、ディスクトレイ４の搬送方向における長さＬ’は段差形状部２９の、ディスクトレイ４の搬送方向の下流側の端部（段差開始位置Ｐ１）と、キャリッジ１の、ディスクトレイ４の搬送方向の上流側の端部との間の距離Ｌよりも小さい。
【００４３】
ディスクローラバネ３０の変位量が小さくされる位置まで搬送されたときは、ディスクローラ１１が段差形状部２９内に進入したときであり、ディスクトレイ４の排出動作完了後にディスクトレイ４が停止したときである。また、段差形状部２９の、ディスクトレイ４の搬送方向における長さＬ’は、ディスクトレイ４の搬送方向に沿って形成される段差形状部２９の長さＬ’は、ディスクトレイ４の先端２８と段差開始位置Ｐ１との間の距離である。
【００４４】
これにより、ディスクトレイ４の排出動作が停止した状態でキャリッジ１が走査方向に移動した場合であってもキャリッジ１とディスクトレイ４とが干渉しないので、記録ヘッドを損傷することなく、キャリッジ１が移動可能となる。
【００４５】
本実施形態では、ディスクローラ１１の押圧方法として、棒状のコイルバネによって構成されたディスクローラバネ３０によってディスクローラ１１が押圧されているが、ねじりコイルバネによってディスクローラ１１が押圧されるように構成されてもよい。
【００４６】
また、本実施形態では、ディスクローラ１１がシャーシ部材１２に取り付けられる構成にされたが、ディスクローラ１１がディスクトレイベース３に取り付けられる構成とされてもよい。この構成の場合には、収納ポジションでディスクローラ１１を記録紙の搬送経路から退避させるように構成する。
【００４７】
上述のように、本実施形態は、ディスクローラバネ３０の変位量を小さくさせるための段差形状部２９が、ディスクトレイ４に対するディスクローラ１１の移動経路と同一直線上に沿って設けられたディスクトレイ４を備えている。これによって、ディスクトレイ４の搬送精度を損なうことなく、ディスクトレイ４が記録装置内部に再度引き込まれることを防止できる。
【符号の説明】
【００４８】
４  ディスクトレイ
９  排出ローラ
１１  ディスクローラ
２７  ディスクトレイベースローラ
２９  段差形状部
３０  ディスクローラバネ
ｔ  段差形状部の深さ
ｔ’  ディスクローラバネの変位量
Ｌ  段差形状部の搬送方向における長さ
Ｌ’  段差形状部の、ディスクトレイの搬送方向の下流側の端部と、キャリッジの、ディスクトレイの搬送方向の上流側の端部との間の距離
【図１】
2014065216.tif 000003
【図２】
2014065216.tif 000004
【図３】
2014065216.tif 000005
【図４】
2014065216.tif 000006
【図５】
2014065216.tif 000007
【図６】
2014065216.tif 000008